(57)【要約】【課題】仮想的なデートを体験できるバーチャルデートサービスシステムを提供する。【解決手段】仮想的なデートを体験することを可能とする仮想デート手段２８を備えたバーチャルデートシステムであって、一の会員が会員端末に表示される画面の切り換えを選択し、他の会員がその選択を承諾することでバーチャルデートにおいて次のステップへ場面展開させることを特徴とする。また、本発明のバーチャルデートシステムは、各会員が所望の会員を見つけることを可能とする出会い手段（１６，２２，２４）と、各会員が所望の会員の一人と互いに匿名性を保ちつつ現実さながらの仮想的なデートを体験することを可能とする仮想デート手段２８とを備えたことを特徴とする。【選択図】    図１
2007072818.tif 000002
【特許請求の範囲】
【請求項１】
仮想的なデートを体験することを可能とする仮想デート手段を備えたバーチャルデートシステムであって、
一の会員が会員端末に表示される画面の切り換えを選択し、他の会員がその選択を承諾することでバーチャルデートにおいて次のステップへ場面展開させることを特徴とするバーチャルデートシステム。
【請求項２】
各会員が所望の会員を見つけることを可能とする出会い手段と、
各会員が所望の会員の一人と互いに匿名性を保ちつつ現実さながらの仮想的なデートを体験することを可能とする仮想デート手段とを備えたことを特徴とするバーチャルデートシステム。
【請求項３】
前記出会い手段は、プロフィール検索手段、所定の条件を満たす会員が参加することを許される仮想的なパーティの場を提供する仮想パーティ手段、および会員どうしに仮想的ロビーを提供するロビー手段の何れか１つ、または任意の組み合わせであることを特徴とする請求項２記載のバーチャルデートシステム。
【請求項４】
仮想デートを拒否したい会員をブラックリストに登録する手段と、
ブラックリストに登録された会員がブラックリストに登録した会員にアクセスできないようにする手段とをさらに備えたことを特徴とする請求項２又は３に記載のバーチャルデートシステム。
【発明の詳細な説明】
【技術分野】
【０００１】
本発明は、インターネットを介して仮想的なデートを体験することを可能とするバーチャルデートシステムに関する。
【背景技術】
【０００２】
インターネット上には、利用者が交際相手を見つけること（いわゆる、出会い）を可能とする種々の出会い系サイトがあり、またそのような出会いを可能とする技術も提案されている。例えば、インターネットによる情報提供システム（特許文献１）、交際仲介システム（特許文献２、図２など）、結婚情報の供給システム（特許文献３）、インターネットビジュアル対話システム（特許文献４）、コンテンツ配信システム及びコンテンツ配信方法（特許文献５）などが提案されている。
通常、このようなシステムでは、利用者は最初に自分のプロフィールデータなどを入力して登録することにより会員となる。各会員のプロフィールはデータベース化されるので、会員またはそのサイトへの来訪者は、データベースを検索して交際相手の候補を見つけ、匿名で情報を交換することができる。
しかし、既存の出会い系システムでは、それを通して知り合った相手と実際に会ってみると、実際の印象が会う前のものとずいぶん違うということが往々にしてあるようである。実際に会うには時間や金だけでなく精神的プレッシャーなど種々のコストが掛かるが、これらのコストは、実際の出会いに失敗すると無駄になる。
【特許文献１】特開２００１−８４２９８号公報
【特許文献２】特開２００１−９２８９２号公報
【特許文献３】特開２００２−２０３０３４号公報
【特許文献４】特開２００４−２３４９１号公報
【特許文献５】特開２００４−２９７４０９号公報
【発明の開示】
【発明が解決しようとする課題】
【０００３】
したがって、実際のデートに先立ち、お互いの顔を見せ合うことなく仮想的なデートをすることにより、お互いのフィーリングを確かめ合うことができれば好都合である。
本発明は、仮想的なデートを体験できるバーチャルデートシステムを提供することを目的とする。
【課題を解決するための手段】
【０００４】
本発明のバーチャルデートシステムは、仮想的なデートを体験することを可能とする仮想デート手段を備えたバーチャルデートシステムであって、
一の会員が会員端末に表示される画面の切り換えを選択し、他の会員がその選択を承諾することでバーチャルデートにおいて次のステップへ場面展開させることを特徴とする。
請求項２のバーチャルデートシステムは、
各会員が所望の会員を見つけることを可能とする出会い手段と、
各会員が所望の会員の一人と互いに匿名性を保ちつつ現実さながらの仮想的なデートを体験することを可能とする仮想デート手段とを備えたことを特徴とする。
請求項３のバーチャルデートシステムは、請求項２において、
前記出会い手段は、プロフィール検索手段、所定の条件を満たす会員が参加することを許される仮想的なパーティの場を提供する仮想パーティ手段、および会員どうしに仮想的ロビーを提供するロビー手段の何れか１つ、または任意の組み合わせであることを特徴とする。
請求項４のバーチャルデートシステムは、請求項２又は３において、
仮想デートを拒否したい会員をブラックリストに登録する手段と、
ブラックリストに登録された会員がブラックリストに登録した会員にアクセスできないようにする手段とをさらに備えたことを特徴とする。
【発明の効果】
【０００５】
本発明によれば、実際のデートに先立ちバーチャルデートを体験することができるので、現実の出会いに成功する可能性を高めることができる。
また、匿名性が完全に保証されたまま気軽にバーチャルデートを体験することができるので、純粋にデートを楽しんだり、本番のデートの練習に利用したりすることができる。
さらに、相手がいる人の場合は、本発明のバーチャルデートシステムを利用して、実際の距離が離れていてもデートを楽しむことができる。
【発明を実施するための最良の形態】
【０００６】
以下、本発明の実施の形態例と添付図面により本発明を詳細に説明する。
なお、複数の図面に同じ要素を示す場合には同一の参照符号を付ける。
図１は、本発明の一実施形態によるバーチャルデートを提供するＷｅｂサーバの概要を示すブロック図である。図１において、Ｗｅｂサーバ１は、２次記憶装置２備え、２次記憶装置２には、バーチャルデートのサービス（またはＷｅｂサイト）を提供するためのソフトウェア（以下、本発明のバーチャルデートシステムと称する）が格納されている。このソフトウェアには、このＷｅｂサイトを構成する種々のページデータ１０〜３２およびこのサイトの会員のプロフィールを格納する会員データベース１００が含まれる。Ｗｅｂサーバ１に構築されるバーチャルデートサイトは、携帯電話などの携帯端末からアクセスできるように構成することが望ましい。Ｗｅｂサーバ１は、本発明の目的を達成するのに十分な性能を備えたコンピュータであれば何でもよい。
ページデータ１０〜３２は、本発明によるバーチャルデートシステムの説明およびメニューなどを含むトップ頁１０、このバーチャルデートの利用希望者が登録するための会員登録頁１２、会員がログインした時に最初に表示されるマイページ１４、会員データベース１００を条件検索するための会員検索頁（プロフィール検索手段）１６、検索結果表示頁１８、仮想パーティ申込み頁２０、仮想的なパーティを体験できる仮想パーティ頁（仮想パーティ手段）２２、会員が待機して相手の選択ができるロビー頁（仮想的ロビー）２４、バーチャルデートを申し込むためのデート申込み頁２６、仮想的なデートの中で対話ができるデートボックス頁（仮想デート手段）２８、現在の交際を終了させるための交際終了頁３０および交際終了の意思確認をするための交際終了確認頁３２からなる。
以下、本発明のバーチャルデートシステムの特徴的な部分について詳細に説明する。以下の説明において、「頁」という表現を用いるが、それらは必ずしも単一の頁に限らず、複数の頁から構成されていてもよい。
【０００７】
本発明のバーチャルデートシステムへの来訪者は、まずトップ頁１０において、当サイトのシステム説明、およびメニューまたはサイトマップなどを提示する。当サイトの利用を希望する来訪者は、会員登録頁１２に進む。会員登録頁１２では、先ず、利用規約を提示するとともに、利用規約に同意するか否かの意思を確認し、同意した場合に限り、メールアドレスの他、本人の種々の属性を表すプロフィール、および相手に求める希望条件などの入力を受け付ける。なお、相手がいる場合（すでに恋人、夫婦、遠距離恋愛中）は相手のプロフィールなどの入力を受け付ける。さらに、必要書類を郵送し、入会金および所定の会費を指定口座に入金した後、ユーザーＩＤおよびパスワードが利用可能となる旨を表示する。これらの手続きを、利用者が済ませると、電子メールで受け取ったユーザーＩＤとパスワードを用いてログイン可能となる。
なお、相手がいる場合は、会員になるとユーザーＩＤを２つ登録できる（ＩＤ１、ＩＤ２）。
【０００８】
図２は、プロフィール入力画面の一例を示す図である。プロフィール登録時に相手に対する希望条件を入力した場合は、その会員はその希望条件に合う人しか検索できないので、検索によるデートの誘いも希望条件に合う人からのみ受けることになる。しかし、希望条件に合わない人でもデートに誘うことは可能である。
【０００９】
なお、プロフィールの一部として、自分の分身のアバターを登録することも可能である。会員登録時に入力されたデータは、ユーザーＩＤごとに会員データベース１００に格納され、後述の会員検索またはプルフィール検索に使用される。上述の必要書類の例としては、本人の写真の他、身分証明書、戸籍謄本、卒業証明書、収入証明書類（例えば、源泉徴収票）などのコピーがある。
ログインすると、マイページ１４から会員検索１６、パーティ２２，ロビー頁２４およびバーチャルデートのためのデートボックス２８などの利用が可能となる。
【００１０】
＜プロフィール検索手段＞
図３は、プロフィール検索時の検索条件入力画面の一例を示す図である。図３において、必要な項目に検索条件を入力し、検索ボタンを押すと、検索が実行される。なお、例えば右の欄の「性格」については、相手として好ましくないと思う性格を入力することにより、そのような性格の会員を検索対象から除外することが可能となる。検索結果は、まず図４に示すように一覧表として表示される。図４において、「ステータス」は、現在交際中の人がいるかいないかを、「待ち合わせ」は、現在デートの約束をしているかどうかを表す。交際中又は待合わせ中の会員に対しては、デートの申込みは禁止する。但し、ロビー頁からは申込ができる。また、検索者自身が交際中又は待合わせ中の場合も、デートの申込みは禁止される。ただし、交際が終了するか、待合わせ中のデートが終了した場合は、新たにデートの申込みをすることが可能となる。「ブラックリスト」フィールドには、検索者が現在ブラックリストに登録している会員である場合、表示されない。「ニックネーム」をクリックするとその会員の詳細データを表示することができる。
【００１１】
図５は、図４のプロフィール検索結果（１８）一覧表示に含まれる特定の会員を指定した場合に表示される詳細表示画面の一例を示す図である。この会員にバーチャルデートを申し込む（２６）場合は、希望日時を入力の上、デート申込みボタンを押す。これにより、申し込まれた旨の情報が相手の会員にメールで送信される。
申し込まれた会員はマイページにアクセスすると、
・受信者がバーチャルデートの申込みを受け入れる（ＯＫ）意志を示すチェック欄、
・申し込まれた人がデート希望日時を選択する欄、
・申し込まれた人がバーチャルデートの申込みを拒否する（ＮＯ）意志を示すチェック欄、および
・送信ボタン
が表示され、必要な欄に入力を行い送信ボタンを押すことにより、サーバ１を介してバーチャルデート申込者の端末に送信される。
【００１２】
このようにして、バーチャルデートの約束が成立した場合、約束の日時の前後にロビー頁２４を介してバーチャルデートボックス（以下、デートボックスという）２８に入ることができる。デートの約束をすると待合わせが待合わせ中になるが、そのデートが終わるまで他の会員とのデートは可能である。
なお、詳細表示画面には「ブラックリスト登録」があり、表示中の会員とデートをしたくない場合、このブラックリスト登録を押すことにより、この会員から検索されることを阻止することができる。また、ブラックリスト登録された会員によるロビー頁２４でのデート申込みや、ブラックリスト登録した会員が入っているデートボックスヘの入室も阻止することができる。ブラックリストを表示させてから選択して解除ボタンをクリックすることにより、ブラックリスト登録を解除することができる。
【００１３】
＜バーチャルパーティ＞
図６は、図１のマイページ１４のバーチャルパーティボタンをクリックして表示されるバーチャルパーティ案内頁（図示せず）で紹介されるバーチャルパーティへのバーチャルパーティ申込み頁２０の一例を示す図である。この頁には、このバーチャルパーティへの参加資格が男女別に「属性」として表示される。参加を希望する場合は、ＯＫボタンをクリックする。
【００１４】
図７は、仮想パーティ頁２２の一例を示す図である。パーティの参加者は自分の顔写真またはライブ映像による参加となる。参加者同士の会話は、テキストまたはマイクで行われる。各参加者がパーティの最後に気に入った人の番号を入力し、お互いが気に入った場合はデートボックス２８に入る。
【００１５】
＜ロビー頁＞
会員は、特別な申込みなどの手続きを経ることなくマイページ１４からロビー頁２４に入ることができる。図８は、ロビー頁２４の一例を示す図である。特にデートの約束をしていなくても時間がある時に、次のように誰とでもデートを楽しむことができる。即ち、ロビー頁２４には、中にいる会員の簡単なプロフィールが表示される。所望の会員を選択し（デートのお誘い２５）、相手の会員がＯＫボタンをクリックした場合、２人でデートボックス２８に入ることができる。相手の会員がＮＯボタンをクリックした場合、画面が閉じる。
また、空いているデートボックスのボタンを押してデートボックス２８の中に入り、相手の人がボックスに入ってくるのを待つことも可能である。
なお、前述した相手がいる場合は、ユーザーＩＤが２つ登録されるが、一の会員（ＩＤ１）が本システムを利用する場合（申込）は、ログイントップ頁１４から自分のＩＤを入力しマイページ１４に入り、デートを選択しデートボックス２８に入って待つ。そして、そのデートの日になると、相手方（他の会員ＩＤ２）がデートボックス２８に来ると２人（ＩＤ１，ＩＤ２）でバーチャルデートをすることができる。この場合、他の会員ＩＤ２以外はロビーを介さない点で、相手がいない人の場合と異なる。
【００１６】
＜バーチャルデート＞
デートボックス２８に入った場合、まず、バーチャルデートで表示する自分の顔をアバター、自分の写真、自分のリアルタイム映像の中から選択する。次に、バーチャルデートで交わす会話を音声にするかテキストにするかを選択する（リアルタイム映像には、ＷＥＢカメラが、音声にはマイクが必要になる。）。誘った人又は先にデートボックスに入った人が開始ボタンを押してバーチャルデートがスタートする。バーチャルデートは、およそ次の手順（ステップ）で進行する。
【００１７】
ステップ１：まず、二人（一の会員と他の会員と）で話し合い行き先を相談する。
ステップ２：メインのデートを楽しむ。様々な場面で画像を切り換えながら表示することにより本番さながらのデートを楽しむことができる。例えばデートの行き先のシーンなどである。また、画像は静止画でも動画でもよく、画像・音声データベース２９に予め記録している画像データの形式を変えることで対応できる。静止画の場合は、静止画に合わせて音声データを流し補助画像を開くという動作を繰り返し展開する。例えば公園へデートする場合は、公園の風景を表示し、風や小鳥のさえずりを流すというような場合である。
動画の場合は、その画像データに音声データが付属している場合は動画の画像データと共に音声データを画像・音声データベース２９から呼び出し、動画に音声データが付属していない場合は、別途用意された音声データをファイル名から検索して同期をとりながら画像・音声データベース２９から呼び出すことができる。
その際、画像・音声データベース２９に記憶されている補助画像を開く場合もある。例えば、前述の公園の例では、地図などの画像を表示する場合が考えられる。会話も弾んだ所で食事の相談をする。
ステップ３：次々に料理を運ぶことにより実際に食事をしているような気分を味わいながら会話をすることが可能となる。最後のコーヒーを飲んだ所で次の選択をする。
ステップ４：デートも大詰めで会話も盛り上がっていると思われるので、最後に男性から女性に告白タイムを設ける。ここで、ＯＫの場合は、連絡先も含めた詳細プロフィールを交換する。但し、相手がいる場合は告白タイムは設けない。
上記のように、本発明のバーチャルデートシステムは、デートボックス２８での展開を会員端末からサーバ１の画像・音声データベース２９にアクセスすることによって、次の場面へ展開させデートコースを作っていく。
すなわち、本発明におけるＷＥＢサーバの仕組みを説明すると、以下のようである。すなわち、静止画、動画、音声の複数データをステップに分けられたデートコース毎に格納しておき会員が会員端末から各ステップでデートコースを選択することにより、そのデートコースに格納された静止画、動画、音声の全てのデータを決められた時間内に自動的に切り替えて表示する。時間は会員端末から会員が自分で設定できる。選択したデートコース内のデータが全て終了すると次のステップのデートコースを選択する。例えば、最初のステップに公園というデートコースがあり、次のステップで和食というデートコースがあるとすると、いきなり和食のデートコースを選択するのではなく、最初のステップをクリアした後、次のステップに格納されたデートコースが選べるようにしている。
この様に、複数のステップでデートコースを通過した後、最後のステップでお互いの印象を選択する。男性会員が選択したステップを女性会員が肯定するか否かで会員データベースに格納された一部の属性を検索し、会員双方にサーバ１からメールする。
【００１８】
なお、各ステップにおける次の場面への展開は、二人で話し合った後、男性の会員端末（一の会員）からサーバ１の画像・音声データベース２９にアクセスし、表示された選択肢（選択ボタン）の中から１つを選び、男性が選択した情報を女性の会員端末（他の会員）に表示させ女性がそれを承諾（ＯＫボタンをクリックする）すると画面展開が進むという方法で決定していくこととする。また、各ステップで次の行動を選択するときに相手が気に入らなければデートをやめることも可能である。
バーチャルデートの告白タイムで、相手の告白に「ＯＫ」であればお互いの詳細プロフィールを双方にメールするが、告白には、つき合いを始めたい場合の『つき合って下さい』と、また会ってもいいと思える場合の『またデートしましょう』と、気に入らなかった場合の『今日はどうもありがとうございました』の三種類がある。
『またデートしましょう』の告白に「ＯＫ」の場合は、写真、結婚暦、子供、都道府県等の情報を双方にメールする。この場合は、まだつき合いが始まっていないので他の会員へのデートや交際の申込みは可能とする。次にまた同じ会員とデートする場合は写真かＷｅｂカメラを使ったライブ映像とすることが好ましい。
『つき合って下さい』の告白に対して「ＯＫ」の返事があった場合は上記情報に加え、本名、メールアドレスを双方にメールする。尚、つき合いが始まってからは他の会員への交際の申込みや他の会員からの交際の申込みはできないようにする。メールアドレス交換後は、直接連絡を取り合ってもよいし、本発明のシステムを利用してデートしてもよい。
また、バーチャルデートを行いたくない相手がいる場合は、ブラックリスト登録ができる。ブラックリスト登録をされた会員はブラックリスト登録した会員にデートの申込みができなくなるので、安心して本発明のシステムを利用することが可能となる。
【００１９】
＜交際終了＞
現在交際している会員との交際を図９に示すような交際終了頁３０により終了することができる。ログイントップ頁から、相手へのメッセージを書いて交際終了ボタンをクリックすると、相手の会員に交際終了の旨のメッセージが送信される。
図１０は、交際終了確認頁３２の一例を示す図である。この頁には、「下記の方との交際を終了します。別れる理由もご記入ください。この理由については相手の方にはお伝えしませんので本当の理由をお書きください。」のようなメッセージと、別れる理由を記入する欄が含まれる。
以上は、本発明の説明のために実施の形態の例を掲げたに過ぎない。したがって、本発明の技術思想または原理に沿って上述の実施の形態に種々の変更、修正または追加を行うことは、当業者には容易である。故に、本発明は、以上述べた実施の形態に捕らわれることなく、ただ特許請求の範囲の記載に従って解釈するべきである。
【産業上の利用可能性】
【００２０】
以上述べたように、本発明によれば、実際のデートに先立ちバーチャルデートを体験することができるので、現実の出会いに成功する可能性を高めることができる。
また、匿名性が完全に保証されたまま気軽にバーチャルデートを体験することができるので、純粋にデートを楽しんだり、本番のデートの練習に利用したりすることができる。
さらに、相手がいる人の場合は、本発明のバーチャルデートシステムを利用して、実際の距離が離れていてもデートを楽しむことができる。
【図面の簡単な説明】
【００２１】
【図１】本発明の一実施形態によるバーチャルデートサービスを提供するＷＥＢサーバの概要を示すブロック図である。
【図２】プロフィール入力画面の一例を示す図である。
【図３】プロフィール検索時の検索条件入力画面の一例を示す図である。
【図４】プロフィール検索の結果を一覧表示した画面の一例を示す図である。
【図５】図４のプロフィール検索結果一覧表示に含まれる特定の会員を指定した場合に表示される詳細表示画面の一例を示す図である。
【図６】仮想パーティの案内および申込み頁２０の一例を示す図である。
【図７】仮想パーティ頁２２の一例を示す図である。
【図８】ロビー頁２４の一例を示す図である。
【図９】交際終了頁３０の一例を示す図である。
【図１０】交際終了確認頁３２の一例を示す図である。
【符号の説明】
【００２２】
１  本発明のＷＥＢサーバ
２  ２次記憶装置
１０  トップ頁
１２  会員登録頁
１４  マイページ
１６  会員検索頁（プロフィール検索手段）
１８  検索結果表示頁
２０  仮想パーティ申込み頁
２２  仮想パーティ頁（仮想パーティ手段）
２４  ロビー頁（仮想的ロビー）
２５  デートのお誘い
２６  デート申込み頁
２８  デートボックス頁（仮想デート手段）
２９  画像・音声データベース
３０  交際終了頁
３２  交際終了確認頁
１００  会員データベース
【図１】
2007072818.tif 000003
【図２】
2007072818.tif 000004
【図３】
2007072818.tif 000005
【図４】
2007072818.tif 000006
【図５】
2007072818.tif 000007
【図６】
2007072818.tif 000008
【図７】
2007072818.tif 000009
【図８】
2007072818.tif 000010
【図９】
2007072818.tif 000011
【図１０】
2007072818.tif 000012
【手続補正書】
【提出日】平成17年9月9日(2005.9.9)
【手続補正１】
【補正対象書類名】明細書
【補正対象項目名】０００９
【補正方法】変更
【補正の内容】
【０００９】
なお、プロフィールの一部として、自分の分身のアバターを登録することも可能である。会員登録時に入力されたデータは、ユーザーＩＤごとに会員データベース１００に格納され、後述の会員検索またはプロフィール検索に使用される。上述の必要書類の例としては、本人の写真の他、身分証明書、戸籍謄本、卒業証明書、収入証明書類（例えば、源泉徴収票）などのコピーがある。
ログインすると、マイページ１４から会員検索１６、パーティ２２，ロビー頁２４およびバーチャルデートのためのデートボックス２８などの利用が可能となる。